(57)【要約】【課題】  光ディスクの不正コピーを容易に発見すること。【解決手段】  光ディスクに、複数のマークから成り、該複数マークの光ディスク半径方向位置及び又はトラック方向位置をＢＣＡコードとして認識可能な範囲で変調したシークレットコードを含むＢＣＡコードを記録する光ディスク製造装置４６と、このＢＣＡコードを記録した光ディスク１ａのＢＣＡコードとシークレットコードの対応を含む履歴を格納するＢＣＡ履歴データベース４４と、このＢＣＡ履歴データベース４４に格納されたＢＣＡコードとシークレットコードの対応を入力とし、光ディスクに記録されたＢＣＡコード及びシークレットコードを読み込んで比較する管理センタ３０とを用い、記録されたＢＣＡコード及びシークレットコードを検査することにより、不正に製造された光ディスク１ｚを容易に発見可能にしたもの。【選択図】  図１
2006221803.tif 000002
【特許請求の範囲】
【請求項１】
データ及びＢＣＡコードが記録された光ディスクの不正コピーを発見する不正コピー発見システムであって、
光ディスクに複数のマークから成り、該複数マークの光ディスク半径方向位置及び又はトラック方向位置をＢＣＡコードとして認識可能な範囲で予め決められた手順で変調されたシークレットコードを含むＢＣＡコードを記録する記録装置と、
前記ＢＣＡコードを記録した光ディスクのＢＣＡコードとシークレットコードの対応を含む履歴を格納するＢＣＡ履歴データベースと、
前記ＢＣＡ履歴データベースに格納されたＢＣＡコードとシークレットコードの対応を入力とし、光ディスクに記録されたＢＣＡコード及びシークレットコードを読み込んで比較する管理センタのシークレットコードチェッカとを備えることを特徴とする不正コピー発見システム。
【請求項２】
前記記録装置が、光ディスクにレーザスポット光を照射する光ヘッドと、複数のマークから成るＢＣＡコードを前記レーザスポット光によりトラック方向に形成するためのＢＣＡコードメモリと、該ＢＣＡコードメモリに格納されたＢＣＡコードに対し、ＢＣＡコードを形成する複数のマーク光ディスク半径方向位置及び又はトラック方向位置をＢＣＡコードとして認識可能な範囲で予め決められた手順で変調されたシークレットコードを格納したシークレットコードメモリと、前記光ヘッド出力制御部に対するＢＣＡコードシークレットコードを制御するマイクロプロセッサとを備え、
該マイクロプロセッサが、光ヘッドを光ディスクの半径方向に移動しながら、前記シークレットコードメモリに格納されているシークレットコードを用いてＢＣＡコードを変調させることにより、シークレットコードを含むＢＣＡコードを光ディスク表面に記録する光ディスク製造装置又はＢＣＡコード記録装置であることを特徴とする請求項１記載の不正コピー発見システム。
【請求項３】
前記ＢＣＡコードのマークが、光ディスクの半径方向に延びる複数のバーから成り、該バー幅と、前記バーの光ディスク半径方向位置と、光ディスクの回転中心を基準として最内周端側及び最外周端側の距離と、前記バーのディスクトラック方向の中心間距離と、バー開始端間距離とが規格され、
前記シークレットコードが、前記複数の規格内で前記バー記録位置を変化させることによりＢＣＡコードに含まれることを特徴とする請求項１又は２記載の不正コピー発見システム。
【請求項４】
データ及びＢＣＡコードが記録された光ディスクの不正コピーを発見する不正コピー発見方法であって、
光ディスクに複数のマークから成り、該複数マークの光ディスク半径方向位置及び又はトラック方向位置をＢＣＡコードとして認識可能な範囲で予め決められた手順で変調されたシークレットコードを含むＢＣＡコードを記録する記録工程と、
前記ＢＣＡコードを記録した光ディスクのＢＣＡコードとシークレットコードの対応を含む履歴をＢＣＡ履歴データベースに格納する格納工程と、
前記ＢＣＡ履歴データベースに格納されたＢＣＡコードとシークレットコードの対応を入力とし、光ディスクに記録されたＢＣＡコード及びシークレットコードを読み込んで比較する比較工程とから成ることを特徴とする不正コピー発見方法。
【請求項５】
光ディスクにレーザスポット光を照射する光ヘッドと、複数のマークから成るＢＣＡコードを前記レーザスポット光によりトラック方向に形成するためのＢＣＡコードメモリと、該ＢＣＡコードメモリに格納されたＢＣＡコードに対し、ＢＣＡコードを形成する複数のマーク光ディスク半径方向位置及び又はトラック方向位置をＢＣＡコードとして認識可能な範囲で予め決められた手順で変調されたシークレットコードを格納したシークレットコードメモリとを設け、前記記録工程が、光ヘッドを光ディスクの半径方向に移動しながら、前記シークレットコードメモリに格納されているシークレットコードを用いてＢＣＡコードを変調させることにより、シークレットコードを含むＢＣＡコードを光ディスク表面に記録することを特徴とする請求項３記載の不正コピー発見方法。
【請求項６】
前記ＢＣＡコードのマークが、光ディスクの半径方向に延びる複数のバーから成り、該バー幅と、前記バーの光ディスク半径方向位置と、光ディスクの回転中心を基準として最内周端側及び最外周端側の距離と、前記バーのディスクトラック方向の中心間距離と、バー開始端間距離とが規格され、
前記シークレットコードが、前記複数の規格内で前記バー記録位置を変化させることによりＢＣＡコードに含まれることを特徴とする請求項４又は５記載の不正コピー発見方法。
【発明の詳細な説明】
【技術分野】
【０００１】
本発明は、光ディスクの不正コピーを容易に発見することができる光ディスクの不正コピー発見システム及び不正コピー発見方法に関する。
【背景技術】
【０００２】
一般に光ディスクと呼ばれる記録媒体には、スタンピング技術によりデータが予め記録される再生専用ディスク（ＣＤ-ＲＯＭ、ＤＶＤ-ＲＯＭ等）、色素系記録膜の反射率を変化させることによりデータの記録を行う追記型ディスク（ＣＤ−Ｒ、ＤＶＤ−Ｒ等）、相変化記録膜の反射率を変化させることによりデータの記録を行う書換え型ディスク（ＣＤ-ＲＷ、ＤＶＤ-ＲＷ、ＤＶＤ-ＲＡＭ等）が知られている。
【０００３】
前記多種光ディスクの中で特にＤＶＤディスクにおいては、ディスク最内周にＢＣＡ（Burst  Cutting  Area）コードなるバーコード状のデータが記録される場合がある。このＢＣＡコードは、主に著作権保護を目的とし、ディスク製造過程又は製造後に記録される。記録方法はＤＶＤ種別によって異なり、例えば再生専用のＤＶＤ-ＲＯＭディスクの場合は高出力レーザを使用した専用装置（以下、ＢＣＡコード記録装置と呼ぶ）により、ディスクの反射膜の一部を放射線状に除去（焼き切る）ことで記録マークを形成する。また、追記型のＤＶＤ-Ｒにおいては、前期ＢＣＡコード記録装置を用い、記録膜の色素(反射率)変化によりマークを記録することが可能であり、書換え型のＤＶＤ−ＲＷ、ＤＶＤ−ＲＡＭにおいては、相変化記録膜の結晶化工程で用いられている初期化装置により、未結晶部分を放射線状に残留させることで記録マークを形成することが一般的となっている。
尚、このＢＣＡコードに関する技術が記載された文献としては、例えば下記特許文献が挙げられる。
【特許文献１】特開平１０−２３３０１９号公報
【特許文献２】特開２００１−７６３４５号公報
【発明の開示】
【発明が解決しようとする課題】
【０００４】
前記ＢＣＡコードが記録された光ディスクは、近年のコンピュータ技術の発展により、ある程度の技術力を持った者が容易に不正コピーを行うことができる。特に近年ではコスト削減のために海外工場にて光ディスクの製造を行うことが多々あり、この場合、仮に不正利用者が正規の光ディスク製造装置を用いて休日等に不正に光ディスクの製造を行った場合、その製造された光ディスクが不正に製造されたものなのか正規に製造された光ディスクなのかを判別することが困難であると言う不具合もあった。特に当該不正製造の問題は、例えば版権を持つライセンシーから所定数量の製造が許諾された映画情報を含むＤＶＤの場合、許諾を受けた製造工場がライセンスの範囲を超えた数量が市場に出回った場合、不正に製造されたことを立証することが困難であると言う不具合があった。
【０００５】
本発明は、光ディスクの不正コピーを容易に発見することができる光ディスクの不正コピー発見システム及び不正コピー発見方法を提供することを目的とする。
【課題を解決するための手段】
【０００６】
前記目的を達成するために本発明は、データ及びＢＣＡコードが記録された光ディスクの不正コピーを発見する不正コピー発見システムであって、光ディスクに複数のマークから成り、該複数マークの光ディスク半径方向位置及び又はトラック方向位置をＢＣＡコードとして認識可能な範囲で予め決められた手順で変調されたシークレットコードを含むＢＣＡコードを記録する記録装置と、前記ＢＣＡコードを記録した光ディスクのＢＣＡコードとシークレットコードの対応を含む履歴を格納するＢＣＡ履歴データベースと、前記ＢＣＡ履歴データベースに格納されたＢＣＡコードとシークレットコードの対応を入力とし、光ディスクに記録されたＢＣＡコード及びシークレットコードを読み込んで比較する管理センタのシークレットコードチェッカとを備えることを第１の特徴とする。
【０００７】
また本発明は、第１の特徴による不正コピー発見システムにおいて、前記記録装置が、光ディスクにレーザスポット光を照射する光ヘッドと、複数のマークから成るＢＣＡコードを前記レーザスポット光によりトラック方向に形成するためのＢＣＡコードメモリと、該ＢＣＡコードメモリに格納されたＢＣＡコードに対し、ＢＣＡコードを形成する複数のマーク光ディスク半径方向位置及び又はトラック方向位置をＢＣＡコードとして認識可能な範囲で予め決められた手順で変調されたシークレットコードを格納したシークレットコードメモリと、前記光ヘッド出力制御部に対するＢＣＡコードシークレットコードを制御するマイクロプロセッサとを備え、該マイクロプロセッサが、光ヘッドを光ディスクの半径方向に移動しながら、前記シークレットコードメモリに格納されているシークレットコードを用いてＢＣＡコードを変調させることにより、シークレットコードを含むＢＣＡコードを光ディスク表面に記録する光ディスク製造装置又はＢＣＡコード記録装置であることを第２の特徴とする。
【０００８】
また本発明は、前記何れかの特徴の不正コピー発見システムにおいて、前記ＢＣＡコードのマークが、光ディスクの半径方向に延びる複数のバーから成り、該バー幅と、前記バーの光ディスク半径方向位置と、光ディスクの回転中心を基準として最内周端側及び最外周端側の距離と、前記バーのディスクトラック方向の中心間距離と、バー開始端間距離とが規格され、前記シークレットコードが、前記複数の規格内で前記バー記録位置を変化させることによりＢＣＡコードに含まれることを第３の特徴とする。
【０００９】
更に本発明は、データ及びＢＣＡコードが記録された光ディスクの不正コピーを発見する不正コピー発見方法であって、光ディスクに複数のマークから成り、該複数マークの光ディスク半径方向位置及び又はトラック方向位置をＢＣＡコードとして認識可能な範囲で予め決められた手順で変調されたシークレットコードを含むＢＣＡコードを記録する記録工程と、前記ＢＣＡコードを記録した光ディスクのＢＣＡコードとシークレットコードの対応を含む履歴をＢＣＡ履歴データベースに格納する格納工程と、前記ＢＣＡ履歴データベースに格納されたＢＣＡコードとシークレットコードの対応を入力とし、光ディスクに記録されたＢＣＡコード及びシークレットコードを読み込んで比較する比較工程とから成ることを第４の特徴とする。
【００１０】
また本発明は、前記第４の特徴の不正コピー発見方法において、光ディスクにレーザスポット光を照射する光ヘッドと、複数のマークから成るＢＣＡコードを前記レーザスポット光によりトラック方向に形成するためのＢＣＡコードメモリと、該ＢＣＡコードメモリに格納されたＢＣＡコードに対し、ＢＣＡコードを形成する複数のマーク光ディスク半径方向位置及び又はトラック方向位置をＢＣＡコードとして認識可能な範囲で予め決められた手順で変調されたシークレットコードを格納したシークレットコードメモリとを設け、前記記録工程が、光ヘッドを光ディスクの半径方向に移動しながら、前記シークレットコードメモリに格納されているシークレットコードを用いてＢＣＡコードを変調させることにより、シークレットコードを含むＢＣＡコードを光ディスク表面に記録することを第５の特徴とする。
【００１１】
また本発明は、前記何れかの特徴による不正コピー発見方法において、前記ＢＣＡコードのマークが、光ディスクの半径方向に延びる複数のバーから成り、該バー幅と、前記バーの光ディスク半径方向位置と、光ディスクの回転中心を基準として最内周端側及び最外周端側の距離と、前記バーのディスクトラック方向の中心間距離と、バー開始端間距離とが規格され、前記シークレットコードが、前記複数の規格内で前記バー記録位置を変化させることによりＢＣＡコードに含まれることを第６の特徴とする。
【発明の効果】
【００１２】
本発明は、光ディスクの記録膜上に形成するＢＣＡコードにシークレットコードを含ませ、前記シークレットコードが一般の光ディスク再生装置では認識できないことを利用するとにより、光ディスクの不正コピーを容易に発見することができる。
【発明を実施するための最良の形態】
【００１３】
以下、本発明の一実施形態による光ディスクの不正コピー発見システム及び不正コピー発見方法の一実施形態を図面を参照して説明する。図１は、本実施形態による光ディスクを用いた不正コピー発見システム（シークレットコード利用システム）の全体構成を説明するための図、図２は本実施形態によるシークレットコードを含むＢＣＡコードの一例を説明するための図、図３は本実施形態によるシークレットコードを含むＢＣＡコードの他の例を説明するための図、図４は本発明に好適な光ディスク製造装置４６を説明するための図、図５は再生専用又は追記型の光ディスクに対するＢＣＡコードの記録動作の原理を説明するためのタイムチャート、図６は書換型の光ディスク対するＢＣＡコードの記録動作の原理を説明するためのタイムチャート、図７はＤＶＤ−ＲＯＭのディスク半径方向にマークを変形させた写真、図８はＤＶＤ−ＲＯＭのトラック方向にマークを変形した写真である。
＜不正コピー発見システムの概要説明＞
【００１４】
本願発明は前述した様に光ディスクの不正コピーを容易に発見することを目的とするものであり、このための全体システム構成を図１を参照して説明する。
【００１５】
まず本実施形態による不正コピー発見システムの前提として、市場にＢＣＡコードの記録を行うことにより光ディスクを製造する正規工場４０と、該正規工場５０により製造された光ディスクを入手し、不正にコピーを行う不正業者５０と、前記不正にコピーされた光ディスクを検査するための管理センタ３０とが存在するものとする。
【００１６】
前記ＢＣＡコードは、例えば製造される個々の光ディスクの識別番号／製造工場番号／後に記録されるコンテンツ（映画／音楽等）の著作権表示／コンテンツの版権者名等が含まれるものとするが、これに限られるものではない。
【００１７】
特に本実施形態による正規工場４０は、前記ＢＣＡコードに関する情報を格納したＢＣＡコードメモリ４１と、後述するシークレットコードに関する情報を格納するシークレットコードメモリ４２と、ＢＣＡコード記録を行う光ディスク製造装置４６と、前記ＢＣＡコードメモリ４１に格納したＢＣＡコードを後述するシークレットコードが内在する様に変形（変調）すると共に前記光ディスク製造装置４６にＢＣＡコード記録の指示を行うＢＣＡ管理サーバ４５と、正規の権限を持つ管理者のみによって正規の光ディスク製造であることを指示する正規管理者用の管理部４７と、製造する光ディスクに対して記録したシークレットコードを含むＢＣＡコードに関する情報を格納するＢＣＡ履歴データベース４４とを備える。
【００１８】
前記光ディスク製造装置４６は、後述する構成及び動作によってＢＣＡコードの記録並びに書換え型（相変化）ディスクの場合は記録膜の初期化を行う機構と、この光ディスクに記録したＢＣＡコード並びにシークレットコードを検証するためのチェッカを含むものとする。
【００１９】
また前記ＢＣＡコードは、複数のバーコード状のマーク（本例では縦線のバー）からなるＢＣＡ部４９を含み、シークレットコード部４８を内在するものとする。このシークレットコード部４８は、ＢＣＡコード自体の再生に影響を与えない範囲内で、前記ＢＣＡコードを形成するマーク配置を変えることによって、独自の記録パターンを形成し、イメージ情報として前記チェッカによって認識可能なものである。
【００２０】
前記不正業者５０は、一般に入手した光ディスク１ｂをコピーするための光ディスクコピー装置５１を備え、該光ディスク１ｂに記録されたコンテンツ及びＢＣＡコードを読み取って不正な光ディスク１ｚの製造を行うものである。
【００２１】
前記管理センタ３０は、前述の不正にコピーされた不正光ディスク１ｚを発見するためのものであり、例えば前述した正規工場４０の履歴データベース４４から入手したＢＣＡコードに対応するシークレットコードを格納するシークレットコードデータベース３１と、光ディスクのシークレットコードを含むＢＣＡコードを読み込むことができるシークレットコードチェッカ３２とを備え、該チェッカ３２によりシークレットコードを読み込み、前記データベース３１に格納したシークレットコードと比較することにより光ディスクの正当性を検査するものである。
【００２２】
ここで本システムの概要を説明すると、本実施形態による不正コピー発見システムは、正規工場４０で製造された正規な光ディスク１ｂを不正業者が入手し、不正工場５０にて不正に製造された不正光ディスク１ｚを管理センタ３０が検査した際、後述する理由により不正業者５０ではＢＣＡコード自体のコピーが可能であってもシークレットコードのコピーが不可能な事を利用し、不正にコピーされた光ディスクを容易に発見することができる。
＜ＢＣＡコード及びシークレットコードの説明＞
【００２３】
次に本発明の特徴であるＢＣＡコードに含まれるシークレットコードについて、図２及び図３を参照して説明する。
【００２４】
まず、本実施形態によるＢＣＡコードは、光ディスクの内周トラックに沿って複数のバーコード状のマーク（縦線のバー）が並列され、該マークの間隔によって前述した著作権表示等のデータを構成するものであり、このＢＣコードを構成するマークの記録位置は例えばＤＶＤ規格により定められており、この規格はディスク半径方向及びトラック方向に対して所定のマージンが定められている。
【００２５】
例えばＤＶＤの規格でディスク半径方向におけるマークの記録位置は、例えばＤＶＤ−ＲＯＭの場合、下記及び図２（ａ）の如く、光ディスクの中心を基準として、内周半径基準位置Ｒｉが２２．１ｍｍ、外周半径基準位置Ｒｕが２３．５ｍｍ（従って基準マーク長は１．４ｍｍ）とされ、前記内周半径基準位置に対して±２００μｍ（±０．２ｍｍ）の内周側マージン、前記外周半径基準位置に対して±５０μｍ（±０．０５ｍｍ）の外周側マージンが設定されている。
（１）マーク内周端側＝２２．１±０．２ｍｍ
（２）マーク外周端側＝２３．５±０．０５ｍｍ
【００２６】
他方ＤＶＤの規格でディスクトラック（周）方向におけるマークの記録位置は、例えばＤＶＤ−ＲＯＭの場合、下記及び図３（ａ）の如く規格されている。
（３）マーク幅規格Ｍ１＝１０±５μｍ
（４）マーク中心間距離規格Ｍ２＝３０×ｎ±５μｍ（ｎ＝１，２，３，４）
（５）マーク開始端間距離Ｍ３＝３０×ｎ±７μｍ（ｎ＝１，２，３，４）
【００２７】
尚、前記ｎ＝１，２，３，４の理由は、バーコードの内容によってマーク間が空白になり、飛び飛びにマークが形成されるためであり、最大４である。
【００２８】
他方、光ディスクを光ディスク製造装置４６にクランプしたときの偏芯成分やレーザヘッドの位置決め精度等を考慮した場合、機械的公差は最大±５０μｍ程度である。
【００２９】
このようなＢＣＡコードの公差及び光ディスクの機械的公差を考慮した場合、ＢＣＡコードのマークのディスク半径方向におけるマーク長を変えることが可能な範囲は、図２（ａ）に示す如く、外周側では機械的公差によりゼロとなるが、内周側では、２１．９５ｍｍ±５０μｍから２２．２５ｍｍ±５０μｍの可変長範囲６０が存在することが理解される。
【００３０】
他方、ＢＣＡコードのマークのディスクトラック方向におけるマーク幅及び位置を変えることによりマーク形状を変化させる事が可能な範囲は、図３（ｂ）に示す如く２本目のマークが２つの段差を持つ形状と、図３（ｃ）の如く２本目のマークが１つの段差を持つ形状と、図３（ｃ）の如く、２つのマーク幅を変化させる形状である。具体的には、図３（ｂ）の例では、間隔ｍ１を（３０×ｎ＋２）μｍ、間隔ｍ２を（３０×ｎ−２）μｍ、間隔ｍ３を（３０×ｎ−２）μｍ、間隔ｍ４を（３０×ｎ＋２）μｍにすることにより前記規格を満足する範囲でマークを変形することができ、図３（ｃ）の例では、１本と２本目上段のマーク開始端間隔ｍ５を３０×ｎμｍ、１本目マーク中心と２本目上段のマーク中心間隔ｍ７を（３０×ｎ＋２）μｍ、１本目マーク中心と２本目下段のマーク中心間隔ｍ６を（３０×ｎ−２）μｍとし、２本目の上側マーク幅Ｌ１を１４μｍ、下側マーク幅Ｌ２を１０μｍとすることにより、前記規格を満足する範囲でマークを変形することができ、図３（ｄ）の例では、１本と２本目上段のマーク開始端間隔ｍ８を（３０×ｎ）μｍ、２本のマーク中心間隔ｍ９を（３０×ｎ−２）μｍとすることにより、前記規格を満足する範囲でマークを変形することができる。
【００３１】
発明者らは、前記ＢＣＡコードのマークが、図２に示したディスク半径方向の可変長範囲６０において可変とすることができ、更に図３（ｂ）〜（ｄ）に示した形状に変化させた場合であっても、規格の範囲（マージン）内での変形させても、光ディスク再生装置等でＢＣＡコードを正常に再生することができること、即ちＢＣＡコードはＢＣＡコードとして認識可能な範囲で変形させることができることに着目し、前記マーク長変化及び変形を利用して複数のマークによりシークレットコードをＢＣＡコード内に埋め込み、正規な光ディスクがコピーされた場合であっても、不正コピーされた光ディスクのシークレットコードが一般光ディスク再生装置では認識できずにコピーできないことを利用して、不正コピーを発見することを発明した。尚、本明細書においては、前記ＢＣＡコードの位置や形状を変化させることを含み変調と呼ぶこともある。
【００３２】
具体的に説明すると、マーク長の変化については、図２（ｂ）に示す如く、ディスク内周側のマークの可変長範囲６０内においてマーク長を変化させることにより、図示の如くうねりを持ったシークレットコード部４８を形成し、このうねりを前述したチェッカがイメージデータとして認識することにより、ＢＣＡコードにシークレットコードを内在することを発明した。図３（ｂ）以降に示したマーク形状の変化についても同様である。
【００３３】
本実施形態によるＢＣＡコードは、前記ディスク半径方向及びトラック方向に変形することや、どちらか一方の変形を行うことが考えられるが、図３（ｂ）及び（ｃ）の如く段差を使用した際には前記段差によって再生信号にノイズが発生することが考えられるため、現実的な変形例としては、図２（ｂ）に示したディスク半径方向の変形と、図３（ｄ）に示したマーク幅の変形とを組み合わせた変形が好適と予想される。
＜光ディスク製造装置４６の説明＞
【００３４】
さて、本実施形態に使用される光ディスク製造装置４６（相変化光ディスク以外の媒体に対してはＢＣＡコード記録装置とも呼べる）は、図４に示す如く、光ディスク１を回転するスピンドルモータ２と、該スピンドルモータ２の回転軸に直結されて該モータの回転角を検出するロータリーエンコーダ２ａと、前記光ディスク１上にレーザスポット３を照射してＢＣＡコードの記録と共に書換え型（相変化）ディスクの場合は記録膜の初期化を行う光学ヘッド８と、該光学ヘッド８をディスク半径方向に移動可能に支持するキャリッジ７と、該キャリッジ７を半径方向に駆動するキャリッジモータ４と、前記キャリッジ７の半径方向移動量を検出するリニアスケール５と、これら機構を支持するベース６と、前記スピンドルモータ２の回転を制御するスピンドル制御部１０と、前記キャリッジモータ４を駆動してキャリッジ７の移動を制御するキャリッジ制御部１１と、前記光学ヘッド８のディスク面へのレーザスポットの焦点制御を行うフォーカス制御部１２と、前記レーザスポット３の出力値を制御するレーザ出力制御部１３と、前述のＢＣＡ管理サーバ４５に含まれる上位コントローラ６０から前述のシークレットコード及びＢＣＡコードを中継するデータインタフェース部１９と、該データインタフェース部１９から受け取ったＢＣＡコードのフォーマットに従ったシリアルデータに変換するＢＣＡデータ生成部１６及び上位から受信したシークレットコードのフォーマットに従ったシリアルデータに変換するシークレットデータ生成部１５とを含むマイクロプロセッサ１４と、前記ＢＣＡデータ生成部１６からのＢＣＡデータを格納するデータバッファ部１７と、前記スピンドル制御部１０から出力されるディスク回転信号に同期したクロックを発生するクロック発生部６２と、前記データバッファ１７のＢＣＡデータをクロック発生部６２からのクロックを基に変調する変調部６１と、該変調部６１により変調されたＢＣＡデータにシークレットデータ生成部１５からのシークレットデータとを重畳するシークレットデータ重畳部１８とを備え、上位コントローラ６０からの指示によって光ディスク１が相変化光ディスクの場合は初期化及びディスク表面へのＢＣＡコード記録を行い、相変化光ディスクでない場合はＢＣＡコード記録のみを行う様に構成されている。即ち、本実施形態による光ディスク製造装置４６は、媒体が相変化光ディスクの場合は初期化及びＢＣＡコード記録装置として使用され、媒体が他のものである場合はＢＣＡコード記録装置として使用される。
【００３５】
前記ロータリーエンコーダ２ａは、スピンドルモータの回転に同期してディスクの所定角度の回転によりディスク一回転毎に発生する信号Ｚ（パルス信号）及び回転角に応じた信号Ａ（パルス信号）を出力するものであり、これによってスピンドル制御部１０が光ディスク１の回転角度を検出することができ、このロータリーエンコーダ２ａ及びスピンドル制御部１０の一部が本願の検出部に相当する。
【００３６】
前記クロック発生部６２は、ＰＬＬ等により前記信号Ａに同期したクロックを発生し、変調部１７により変調用クロックとして使用される。またリニアスケール５は、キャリッジ７の直線移動に同期して所定距離移動毎にパルス信号を出力するものであり、これによってキャリッジ制御部１１がキャリッジ７及び光学ヘッド８の移動量を検出し、且つこのパルス間隔を検出することによりキャリッジ７の移動速度も検出し、これら情報を用いてキャリッジの位置及び速度制御を行う様に構成されている。
【００３７】
更にフォーカス制御部１２は、光ディスク１から反射される戻り光をフィードバックし、光学ヘッド８から照射したレーザスポット３の光ディスク１上での径が変化しない様に制御することにより、光ディスク１の面振れや歪みに追随してレーザスポットの焦点制御を行うものである。またレーザ出力制御部１３は、記録面の初期化又はＢＣＡコード記録の動作に応じて任意のレーザ出力幅及び任意パルス間隔にて光学ヘッド８からレーザ光を照射する様に制御する。またマイクロプロセッサ１４は、前記スピンドル制御部１０、キャリッジ制御部１１、フォーカス制御部１２、レーザ出力制御部１３及びデータバッファ部１７を制御することにより、シークレットコードを含むＢＣＡコード記録動作と共に、書換え型（相変化）ディスクの場合は記録膜の初期化を行う。
【００３８】
次に、この光ディスク製造装置４６を用いた再生専用（ＤＶＤ−ＲＯＭ）又は追記型（ＤＶＤ−Ｒ）の記録媒体に対するＢＣＡコードの記録動作の原理を図５のタイムチャートを参照して説明する。
図５は、前記スピンドル制御部１０から出力されるディスク一回転毎に出力される信号Ｚ及びディスク一回転中に約１０００パルスを出力される信号Ａと、前記クロック発生部１８から出力される信号Ａと同期した変調用クロック信号を用い、データバッファ部から出力されるＢＣＡデータにシークレットデータを重畳させた（関連付けて変形した）パターンによるレーザ出力1、及びシークレットデータを重畳させない（変形しない）ＢＣＡデータパターンに従ったレーザ出力２を記録途中で切り替えることにより、ディスク媒体上に形成される記録（低反射率）マークを示す図である。ここで、ディスク媒体が再生専用ディスク（ＤＶＤ-ＲＯＭ）の場合は、記録パワーを反射膜が除去できるレベル且つバイアスパワーを反射膜が除去できないレベルに設定し、ディスク媒体が追記型ディスク（ＤＶＤ-Ｒ）の場合は、記録パワーを記録膜の物質的状態変化を与える（色素変化により反射率が低くなる）レベル且つバイアスパワーを記録膜の物質的状態変化を与えない（色素変化を生じず反射率を高い状態のまま維持できる）レベルに設定する。本例にて形成された記録マーク列において、例えば半径方向のマーク長が短いものを"１"、長いものを"０"と定義付けた場合、データが"０１００１１"なるＢＣＡコード上に"０１０１１０"というシークレットデータが含まれたことになる。
本実施例では、シークレットデータに従いＢＣＡ記録時のレーザパルス発光パターンを切り替えることで、半径方向マーク長の変形を行っているが、例えばシークレットデータに従い、変調クロックの幅を切り替えることで、トラック（周）方向マーク幅を変形することも可能である。
【００３９】
以上、本実施形態における光ディスクの不正コピー発見システム及び方法に好適な光ディスク製造装置又はＢＣＡコード記録装置は、半径方向のレーザスポット長がＢＣＡコードの半径方向マーク長より短いレーザを用い、レーザスポットを半径方向に移動しながら複数回転記録動作を行うことで記録マークを放射線状に形成することを特徴としている。これは例えば、レーザスポット長がＢＣＡコードの半径方向マーク長と同じレーザを用い、1回転で記録マークを形成する方式の場合、周方向のマーク幅を変形することは可能であるが、半径方向のマーク長を変形させることは不可能である。半径方向のレーザスポットをＢＣＡコードの半径方向マーク長より短くすることで、記録マークの半径方向の変形に対しての自由度が大きくなり、例えば図２の(ｂ)に示したような複雑な変形も可能となるものである。
【００４０】
また媒体が書換え型の相変化光ディスク（ＤＶＤ-ＲＡＭ、ＤＶＤ-ＲＷ）の場合、本実施形態による光ディスク製造装置のＢＣＡ記録動作の原理は、図６のタイムチャートに示す如く、図５に示した記録パワーをバイアスパワー、バイアスパワーを初期化パワーに置き換えるだけで、同様の動作によりシークレットデータを含んだＢＣＡコードを記録することができる。
ここで、初期化パワーは、ディスク媒体上に物質的状態変化を与えるレベル、即ち相変化膜が結晶化され反射率が高くなるレベルに設定し、バイアスパワーはディスク媒体上に物質的状態変化を与えないレベル、即ち相変化膜が結晶化されず、反射率を低い状態（アモルファス）のまま維持できるレベルに設定する。この場合のＢＣＡコードは、バイアスパワーによりアモルファス（未結晶化）マークとして形成される。
【００４１】
この様に本実施形態に好適なＢＣＡコードの記録は、キャリッジ制御部１１によりレーザスポット３が光ディスク１上のＢＣＡコード記録エリアに移動したとき、前記スピンドル制御部１０から出力される信号Ｚのタイミングで開始し、半径方向のレーザスポット幅２４、即ち１回転当たりに生成されるアモルファスマークがＢＣＡコードとして必要な長さに満たない場合は、キャリッジ７の１回転当たりの移動量をレーザスポット幅２４以下に設定した上で、データバッファ部１７に格納されているシリアルデータの記録動作を繰返し数回転行うことにより、アモルファスマーク２３を放射線状に接続してＢＣＡコードの必要長を記録する。
【００４２】
また媒体が相変化光ディスクの場合は、前記アモルファスマーク２３がＢＣＡコードの必要長を得たＢＣＡコード記録が終了した時点で、光学ヘッド８から照射するレーザ出力を初期化パワー２５としてレーザ照射を続けることにより、残りのトラックの初期化を継続し、一連の動作でＢＣＡコードの記録と記録膜の初期化を行うことができる。尚、シークレットコードをＢＣＡコードに含ませることの指示は、図１に示した管理部４７によって行われ、権限のある正規な管理者のみによってシークレットコードをＢＣＡコードに含ませることができるものとする。
【００４３】
また前記実施形態ではＢＣＡ管理サーバ４５がＢＣＡコードを変形する例を説明したが、本発明はこれに限られるものではなく、光ディスク製造装置４６がＢＣＡコードとシークレットコードの各情報を別々に入力とし、ＢＣＡコードを書き込む際にシークレットコードの情報を用いて前記図５及び図６に示した何週目かのレーザ出力を阻止したり、レーザ出力のタイミングを変化させることによっても、シークレットコードを含むＢＣＡコードを記録することができる。
【００４４】
この様に本実施形態に好適な光ディスク製造装置４６は、光ディスクに複数のトラックにまたがる長円形状のレーザスポット光を照射し、データバッファ部に格納されている全シリアルデータを１回転毎にクロック発生部からの変調クロックにより変調し、且つ回転角を検出しながら、光ヘッド出力制御部が光ヘッド上のレーザ光をパルス駆動することにより、キャリッジを移動させながら複数回転実行することにより、シークレットコードを含むＢＣＡコードを光ディスク表面に記録することができ、更に相変化光ディスクの場合は記録膜の初期化とＢＣＡコード記録を一連の動作で実行することができる。
＜ＢＣＡコードの具体例＞
【００４５】
図７及び図８は、前記実施形態によりＢＣＡコードをＤＶＤ−ＲＯＭディスクの半径方向及びトラック方向に変化させた場合のマークの写真である。この様にマークの記録位置を変形させたＢＣＡコードを変化させた光ディスクを用いて当該ＢＣＡコードを正確に読み取ることが可能か、換言すれば光ディスク装置においてエラーにならずにＢＣＡコードを読み取る事が可能かを実証した結果、発明者らは、前記実施形態によるＢＣＡコードの変形が実装置において使用可能であることを検証した。従って本願発明は、実機において実現することができる。
【００４６】
尚、前記実施形態で説明した光ディスク半径方向に延びる複数のマークからなるＢＣＡコードは、例えばＤＶＤ規格によって、ＢＣＡコード先端部分から所定の本数（例えば３９本）、及びＢＣＡコード最終端から前の所定の本数（例えば４６本）が記録される箇所は、ＢＣＡコードの内容（最大１８８ｂｙｔｅの可変長領域）に係らず固定パターンが形成されており、前記ＢＣＡコードの変形は、前記シークレットコードの判別を容易にするためには、前記固定パターン部分に記録することが望ましい。
【００４７】
この様に本実施形態による不正コピー発見システムは、不正業者においてはシークレットコードのコピー技術がないために不正コピーの光ディスクを容易に発見することができる。また、例えば正規工場４０において、休日等に不正な従業員等が管理部４７を操作せずに光ディスクを不正に製造した場合、シークレットコードを含まないＢＣＡコードが記録された光ディスクが製造されるため、管理センタ３０において当該不正光ディスクを検査した場合、シークレットコードを含まないことから不正な光ディスクであることを発見することができると共に、ＢＣＡコードに含まれる識別番号や製造工場番号を基に不正が行われた製造工場を特定することができる。
【００４８】
尚、前記実施形態においては、ＢＣＡコードがディスク半径方向に延びるバー状である例を説明したが、本発明によるＢＣＡコードは前記実施形態に限られるものではなく、例えば多数の■状マークを面状に配置した２次元バーコードの如きＢＣＡコードが採用された際には、この２次元ＢＣＡコードにも本発明を適用することができる。また前記実施形態においては、ＢＣＡコードの変形許容範囲内でシークレットコードをＢＣＡコードに内在させる例を説明したが、ＢＣＡコードの規格領域外且つ本来のデータ領域外に、ＢＣＡコードと目視では区別困難な程に近接した位置に独立したシークレットコードを配置することも考えられ、例えば図２の外周側の２３．５ｍｍ＋５μを越える位置に短長のシークレットコードを配置することも考えられる。
【図面の簡単な説明】
【００４９】
【図１】本発明の一実施形態による不正コピー発見システムを説明するための図。
【図２】本実施形態によるシークレットコードを含むＢＣＡコードの一例を説明するための図。
【図３】本実施形態によるシークレットコードを含むＢＣＡコードの他の例を説明するための図。
【図４】本実施形態に好適な相変化光ディスク用の光ディスク製造装置４６を説明するための図。
【図５】ＢＣＡコードの記録動作の原理を説明するためのタイムチャート。
【図６】初期化及びＢＣＡコードの記録動作の原理を説明するためのタイムチャート。
【図７】本実施形態による光ディスク半径方向にマークを変化させた状態を示す写真図。
【図８】本実施形態による光ディスクのトラック方向にマークを変化させた状態を示す写真図。
【符号の説明】
【００５０】
１：光ディスク、２：スピンドルモータ、２ａ：ロータリーエンコーダ、３：レーザスポット、４：キャリッジモータ、５：リニアスケール、６：ベース、７：キャリッジ、８：光学ヘッド、１０：スピンドル制御部、１１：キャリッジ制御部、１２：フォーカス制御部、１３：レーザ出力制御部、１４：マイクロプロセッサ、１５：シークレットデータ生成部、１６：ＢＣＡデータ生成部、６１：変調部、１８：シークレットデータ重畳部、６２：クロック発生部、１９：データインタフェース部、６０：上位コントローラ、２１：記録パワー、２２：バイアスパワー、２３：アモルファスマーク、２４：レーザスポット幅、２５：初期化パワー、３０：管理センタ、３１：シークレットコードデータベース、３２：シークレットコードチェッカ、４０：正規工場、４１：ＢＣＡコードメモリ、４２：シークレットコードメモリ、４４：ＢＣＡ履歴データベース、４５：ＢＣＡ管理サーバ、４６：ＢＣＡ記録機能付き光ディスク製造装置４６、４７：チェッカ、４８：シークレットコード部、４９：ＢＣＡ部、５０：不正業者、５１：光ディスクコピー装置。
【図１】
2006221803.tif 000003
【図２】
2006221803.tif 000004
【図３】
2006221803.tif 000005
【図４】
2006221803.tif 000006
【図５】
2006221803.tif 000007
【図６】
2006221803.tif 000008
【図７】
2006221803.tif 000009
【図８】
2006221803.tif 000010